(57)【要約】【課題】カップリングの行なわれるデバイスの集積回路の特性パラメータを制御し、製品開発期間を大幅に短縮する集積回路特性の修正方法を提供する。【解決手段】ステップ１Ｓ１、ステップ２Ｓ２およびステップ３Ｓ３を備える。ステップ１Ｓ１は、インターフェイスユニット２０が接続されたカップリングの行なわれるデバイス１０の特性パラメータを受取るステップ１である。ステップ２Ｓ２は、データ処理装置３０がインターフェイスユニット２０に接続され、インターフェイスユニット２０により出力されるカップリングの行なわれるデバイス１０の特性パラメータを受取り、特性データを出力し、カップリングの行なわれるデバイス１０に適する電気規格を演算するステップである。ステップ３Ｓ３は、データ処理装置３０が記録ユニットを用いてカップリングの行なわれるデバイス１０に適する電気規格または特性データを集積回路４０に書き込むステップである。【選択図】図３
2010020582.tif 000002
【特許請求の範囲】
【請求項１】
インターフェイスユニットが接続されたカップリングの行なわれるデバイスの特性パラメータを受取るステップ１と、
データ処理装置が前記インターフェイスユニットに接続され、前記インターフェイスユニットにより出力される前記カップリングの行なわれるデバイスの特性パラメータを受取り、特性データを出力し、前記カップリングの行なわれるデバイスに適する電気規格を演算するステップ２と
前記データ処理装置が記録ユニットを用いて前記カップリングの行なわれるデバイスに適する電気規格または特性データを集積回路に書き込むステップ３と、を備えることを特徴とする集積回路特性の修正方法。
【請求項２】
前記ステップ３の後に、カップリングの行なわれるデバイスに適する電気規格の書き込みの行なわれた集積回路がテストの行なわれた本来の集積回路に代わるステップ４をさらに備えることを特徴とする請求項１に記載の集積回路特性の修正方法。
【請求項３】
前記集積回路は、プログラム化可能なＩＣチップであることを特徴とする請求項１に記載の集積回路特性の修正方法。
【請求項４】
前記集積回路は、プログラム化可能なＩＣチップであることを特徴とする請求項２に記載の集積回路特性の修正方法。
【請求項５】
前記カップリングの行なわれるデバイスは、ファンモータであることを特徴とする請求項１に記載の集積回路特性の修正方法。
【請求項６】
前記カップリングの行なわれるデバイスは、ファンモータであることを特徴とする請求項２に記載の集積回路特性の修正方法。
【発明の詳細な説明】
【技術分野】
【０００１】
本発明は、集積回路特性の修正方法に関し、特に、カップリングの行なわれるデバイスによる集積回路特性の修正方法で、最良のカップリング特性が得られる方法に関する。
【背景技術】
【０００２】
集積回路は、高い統合性、小体積、高速作動などの長所を有し、様々な電気製品に広汎に用いられている。集積回路は、ふつう他の集積回路、デバイスまたは装置（以下カップリングの行なわれるデバイスと称する）と組合せて完全なシステムまたは構造を形成する。
集積回路は、システムまたは構造を形成する過程において、集積回路とカップリングの行なわれるデバイスとを完全にカップリングさせるために、何度も繰り返しテストを行なわなければならない。そのため、開発に時間がかかり、発売時期が遅れたり、コスト（テストにおける材料コストを含む）が大幅に増加した。ファンを例として説明すると、ファンと集積回路との完全なカップリングは、非常に困難であり、理想的数値との間に格差があった。ファンと集積回路との完全なカップリングを得るには、異なる規格のファンと集積回路とに対し、配列組合せによるテスト（TRY AND ERROR）を繰り返し行なわなければならなかった。しかし、配列組合せによるテストを繰り返し行なったとしても、ユーザを満足させる完全なカップリング状態が得られるとは限らなかった。
【特許文献１】特開２００１−１３５７９１号公報
【特許文献２】特開平０９−１１７１７９号公報
【発明の開示】
【発明が解決しようとする課題】
【０００３】
本発明の第１の目的は、カップリングの行なわれるデバイスの集積回路の特性パラメータを迅速に制御し、製品開発期間を大幅に短縮することが可能な集積回路特性の修正方法を提供することにある。
本発明の第２の目的は、カップリングの行なわれるデバイスおよびユーザが必要とする規格に基づき、集積回路の特性パラメータを設定し、良品率を向上させる集積回路特性の修正方法を提供することにある。
本発明の第３の目的は、短縮された製品開発期間により良品率を向上させ、コストを低下させる集積回路特性の修正方法を提供することにある。
【課題を解決するための手段】
【０００４】
上述の目的を達成するため、本発明は、集積回路特性の修正方法を提供する。本発明の集積回路特性の修正方法は、ステップ１、ステップ２およびステップ３を備える。ステップ１は、インターフェイスユニットが接続されたカップリングの行なわれるデバイスの特性パラメータを受取るステップ１である。ステップ２は、データ処理装置がインターフェイスユニットに接続され、インターフェイスユニットにより出力されるカップリングの行なわれるデバイスの特性パラメータを受取り、特性データを出力し、カップリングの行なわれるデバイスに適する電気規格を演算するステップである。ステップ３は、データ処理装置が記録ユニットを用いてカップリングの行なわれるデバイスに適する電気規格または特性データを集積回路に書き込むステップである。
【発明の効果】
【０００５】
本発明集積回路特性の修正方法は、従来技術が繰り返し行なっていたカップリングテストが不要なため、時間の浪費、コスト高、材料の浪費という欠点を改善することができる。これにより、製品開発期間を大幅に短縮することができる。また、短縮された製品開発期間により良品率を向上させ、コストを低下させることもできる。
【発明を実施するための最良の形態】
【０００６】
以下、本発明の好適な集積回路特性の修正方法の実施例を図面に基づいて説明する。
図１は、ファンモータ制御回路を示す図である。図１に示すように、ファンモータ１１は、入力電圧Ｖccを受取り、ファンモータ１１に設けられたり、接続されたりしている駆動ユニット１１０によりファンモータ１１を駆動させる。集積回路４０は、プログラム化が可能で、回路信号転換プログラムに相当するものを内部に保存している。集積回路４０は、スイッチデバイス１２０により駆動ユニット１１０に接続されている。集積回路４０は、パルス幅変調（ＰＷＭ）、電圧、回転速度（ＲＰＭ）など、あらゆるタイプの信号を受信することができる。集積回路４０は、例えば、パルス幅変調信号など、受信した信号に応じて出力する信号を選択する。出力した信号は、スイッチデバイス１２０を介して駆動ユニット１１０に伝達され、ファンモータ１１のコイル磁場を駆動させ、回転速度を制御する。
【０００７】
集積回路４０から出力される信号により、ファンモータ１１の回転速度が制御される。しかし、ファンモータ１１は、異なる様式およびサイズがあるため、集積回路４０が一定の信号を出力すると、異なるファンモータ１１は、異なる回転速度を有することになる。異なる様式またはサイズのファンモータ１１が用いられ、駆動時における回転速度が目標速度を必要とする場合、集積回路４０は、交換されるか、カップリングの行なわれるデバイス１０に用いられた電気規格または特性データを集積回路４０にコピーする必要が生じる。本発明は、この点に基づき、従来技術で繰り返し行なわれるテスト（TRY AND ERROR）、およびユーザを満足させる最良のカップリングが得られないという短所を改善する。なお、本発明は、ファンモータに限定されるものではない。
【０００８】
以下、本発明の実施形態を図面に基づいて説明する。
図２は、本発明の一実施形態による集積回路特性の修正システムフレームを示すチャート図である。図２に示すように、集積回路特性の修正方法システムは、カップリングの行なわれるデバイス１０、インターフェイスユニット２０、データ処理装置３０および集積回路４０を備える。
【０００９】
集積回路４０は、カップリングの行なわれるデバイス１０の駆動を制御するため、カップリングの行なわれるデバイス１０に設けられたり、接続されたりしている。カップリングの行なわれるデバイス１０は、ファンモータ１１であってもよい（図１に示すように、集積回路４０は、ファンモータ１１の回転速度を制御する）。インターフェイスユニット２０は、カップリングの行なわれるデバイス１０に接続され、カップリングの行なわれるデバイス１０の特性を受取ったり、検出したりする。カップリングの行なわれるデバイス１０の特性とは、パルス幅変調、回転速度などの特性パラメータで、例えば、ファンモータ１１は、同一のパルス幅変調において、ファンの異なるサイズの羽根がファンに大きな影響を与える可能性があるため、特性パラメータは、テストにより把握しておかなければならない。インターフェイスユニット２０は、特性パラメータをデータ処理装置３０が保存できる特性データに転換することができる。
【００１０】
データ処理装置３０は、インターフェイスユニット２０により出力される特性データ（カップリングの行なわれるデバイス１０の特性パラメータ）を受取ったり、読取を行なったりするため、インターフェイスユニット２０に接続されたりしている。また、データ処理装置３０は、受取った特性データに応じてユーザの需要（ファンの羽根サイズ、回転速度などの規格）に適するカップリングの行なわれるデバイス１０に適する電気規格を演算することができる。インターフェイスユニット２０は、データ処理装置３０上に配置されても、データ処理装置３０の一部であってもよい。データ処理装置３０は、データ処理装置３０内に配置されたり、外部からデータ処理装置３０に接続されたりすることができる記録ユニット（図示せず）を用いてカップリングの行なわれるデバイス１０に適する電気規格を集積回路４０に書き込み（記録またはコピーともいう）、集積回路４０にカップリングの行なわれるデバイス１０がユーザの需要に最も適する規格（特質）が得られるようにさせる。つまり、集積回路４０は、カップリングの行なわれるデバイス１０の駆動状態を制御して、ユーザを満足させる。
【００１１】
図３は、本発明の第１の好適な実施形態による集積回路特性の修正方法を示すフロー図である。図３に示すように、本発明の集積回路特性の修正方法は、ステップ１Ｓ１、ステップ２Ｓ２およびステップ３Ｓ３を備える。ステップ１Ｓ１は、インターフェイスユニット２０がカップリングの行なわれるデバイス１０のパルス幅変調、回転速度などの特性パラメータを受取ったり、検出したりしてから、データ処理装置３０が保存できる特性データに転換するステップである。次のステップ２Ｓ２は、データ処理装置３０が、インターフェイスユニット２０により出力されるカップリングの行なわれるデバイス１０の特性パラメータ（またはデータ）を受取ったり、読取りを行なったりするため、インターフェイスユニット２０に接続され、ユーザの需要に適するカップリングの行なわれるデバイス１０に適する電気規格を演算(或いは必要な規格の特性パラメータ及び特性データを演算)するステップである。次のステップ３Ｓ３は、データ処理装置３０は、記録ユニットを用いてカップリングの行なわれるデバイス１０に適する電気規格または特性データを集積回路４０に書き込み（記録またはコピーともいう）、集積回路４０にカップリングの行なわれるデバイス１０がユーザの需要に最も適する特性曲線（回転速度に対するパルス幅変調の変動率など）が得られるようにさせる。つまり、最適な特性パラメータを集積回路に書き込んだ集積回路４０は、カップリングの行なわれるデバイス１０の駆動状態を制御して、ユーザの需要を満足させるステップである。
【００１２】
図４は、本発明の第２の好適な実施形態による集積回路特性の修正方法を示すフロー図である。図３に示すように、本実施形態は、ファンモータ１１および集積回路４０のカップリングに用いられる。集積回路４０が電圧範囲、パルス幅変調などを異なるファンモータ（タイプまたは種類は、発熱部分が発生する熱量、面積、サイズなどの条件による）に出力すると、ファンモータ１１は、その特性（羽根のサイズなど）により、回転速度を異ならせてしまう。ファンモータ１１の規格（羽根のサイズ、回転速度など）に対するユーザの需要を満たすため、集積回路４０のパルス幅変調および回転速度を修正しなければならない。
【００１３】
本実施形態が第１の好適な実施形態と異なるのは、カップリングの行なわれるデバイス１０がファンモータであり、集積回路４０がプログラム化可能なＩＣチップであることである。また、ステップ３Ｓ３において、カップリングの行なわれるデバイス１０に適する電気規格を集積回路４０に書き込む（記録またはコピー）ステップが行なわれた後、ステップ４Ｓ４をさらに備える。ステップ４Ｓ４は、カップリングの行なわれるデバイス１０に適する電気規格の書き込みの行なわれた集積回路４０がテストの行なわれた本来の集積回路４０に代わって役割を果たすステップである。そのため、本発明は、従来技術が繰り返し行なっていたカップリングテストによる時間の浪費、コスト高、材料の浪費という欠点を改善したばかりか、集積回路４０とカップリングの行なわれるデバイス１０との完全なカップリングにより良品率を大幅に向上させた。
【００１４】
本発明では好適な実施形態を前述の通りに開示したが、これらは決して本発明を限定するものではなく、当該技術を熟知する者は誰でも、本発明の精神と領域を脱しない範囲内で各種の変更や修正を加えることができる。従って、本発明の保護の範囲は、特許請求の範囲を基準とする均等の範囲内である。
【図面の簡単な説明】
【００１５】
【図１】ファンモータ制御回路を示す図である。
【図２】本発明の一実施形態による集積回路特性の修正システムフレームを示すチャート図である。
【図３】本発明の第１の好適な実施形態による集積回路特性の修正方法を示すフロー図である。
【図４】本発明の第２の好適な実施形態による集積回路特性の修正方法を示すフロー図である。
【符号の説明】
【００１６】
１０  カップリングの行なわれるデバイス
１１  ファンモータ
２０  インターフェイスユニット
３０  データ処理装置
４０  集積回路
１１０  駆動ユニット
１２０  スイッチデバイス
Ｖｃｃ  入力電圧
Ｓ１  ステップ１
Ｓ２  ステップ２
Ｓ３  ステップ３
Ｓ４  ステップ４
【図１】
2010020582.tif 000003
【図２】
2010020582.tif 000004
【図３】
2010020582.tif 000005
【図４】
2010020582.tif 000006